(57)【要約】【課題】本発明は、日常的に使用する水を効率良く活水化する活性浄水器であって、台所の流し台に設置できるようなコンパクトなものとして提供する。【解決手段】活性浄水器が、略円筒形状の外周壁および該外周壁と同心円で内側に内周壁を形成した容器本体と、外周壁および内周壁との間を複数の境界壁で仕切って設けた区画室と、区画室の一つに水を導水する導水口と、内周壁内に挿入して設けた中央筒と、水の送出口を設けて、容器本体を覆う蓋部材と、蓋部材の内側に設けられ、区画室の上部が水の通路となるように、境界壁の所定箇所を跨ぐように凹部を形成した蓋側遮蔽盤と、容器本体の底部を被うように形成した底部材と、底部材の内側に設けられ、区画室の下部が水の通路となるように、境界壁の所定箇所を跨ぐように凹部を形成した底側遮蔽盤と、少なくとも区画室の何れか一つに充填される活水化材料と、を備え、活水化材料で水を活水化することを特徴とする。【選択図】          図１２
2004223406.tif 000002
【特許請求の範囲】
【請求項１】
水道から水を取り入れ、水を活水化して浄化する活性浄水器において、
前記活性浄水器は、略円筒形状の外周壁および該外周壁と同心円で内側に内周壁を形成した容器本体と、
前記外周壁および前記内周壁の間を複数の境界壁で仕切って設けた区画室と、
前記区画室の一つに水を導水する導水口と、
前記内周壁内に挿入して設けたフィルター付き中央筒と、
前記中央筒を挿入する挿入口を形成し、また、水の送出口を設けて、前記容器本体を覆う蓋部材と、
前記蓋部材の内側に設けられ、前記区画室の上部が水の通路となるように、前記境界壁の所定箇所を跨ぐように凹部を形成した蓋側遮蔽盤と、
前記容器本体の底部を被うように形成した底部材と、
前記底部材の内側に設けられ、前記区画室の下部が水の通路となるように、前記境界壁の所定箇所を跨ぐように凹部を形成した底側遮蔽盤と、
少なくとも前記区画室の何れか一つに充填される活水化セラミックスと、を備えたことを特徴とする活性浄水器。
【請求項２】
前記区画室は、前記活水化材料を充填した充填室と、前記充填室を通過した水が撹拌される撹拌室とからなり、前記充填室および前記撹拌室が交互に設けられていることを特徴とする請求項１に記載の活性浄水器。
【請求項３】
前記蓋側遮蔽盤に設けた凹部および前記底側遮蔽盤に設けた凹部は、交互に前記境界壁を跨ぐように形成したことを特徴とする請求項１または２に記載の活性浄水器。
【請求項４】
前記蓋部材の前記挿入口には、螺着させて前記中央筒の頂部の開口部を塞ぐキャップを備え、前記中央筒の側壁上部に複数箇所設けた窓部から、水を流出させることを特徴とする請求項１から３の何れか１項に記載の活性浄水器。
【請求項５】
活性炭、及び、塩素を取り除く化合物が、前記中央筒に充填されていることを特徴とする請求項１から４の何れか１項に記載の活性浄水器。
【請求項６】
少なくとも前記区画室の何れか一つには、水を浄化する殺菌セラミックスが充填されていることを特徴とする請求項１から５の何れか１項に記載の活性浄水器。
【発明の詳細な説明】
【０００１】
【発明の属する技術分野】
本発明は、水道水の導入口に設けることにより、水を活水化すると共に、水を浄化して取り出す活性浄水器に関する。
【０００２】
【従来の技術】
浄水器や活性浄水器で、水を活性化し、その活性化された水が人体の健康に有益であることはよく知られている。特に、このような水を活性化する技術においては、遠赤外線該放射体からの遠赤外線を利用したものが知られている。一例として、セラミックスを筒状ケース内に収納し、その中に水を通水して、水に遠赤外線を当てることにより水を活性化する活性浄水器が知られている。また、特開２００２−１３１７号公報には、活性化された水を大量にかつ安価に製造できる遠赤外線浄水器が開示されている。この遠赤外線浄水器は、遠赤外線放射物質を充填した棚段を上下に間隔をおいて複数設置し、水がオーバーフローして下段に流下し、貯水槽に溜まるよう構成された遠赤外線浄水器である。しかし、このような浄水器は、水を自然落下させて活性水を得るものであり、家庭内で日常的に利用できる装置とするためには、装置が大型なものとなってしまい、マンション等の集合建築内に設置することには問題があった。
【０００３】
【発明が解決しようとする課題】
本発明は、日常的に使用する水を効率良く活水化し、また、浄化する活性浄水器であって、台所の流し台に設置できるようなコンパクトなものとして提供することである。
【０００４】
【課題を解決するための手段】
上記課題を達成するために、本発明の活性浄水器は、水道から水を取り入れ、水を活水化して浄化する活性浄水器において、前記活性浄水器は、略円筒形状の外周壁および該外周壁と同心円で内側に内周壁を形成した容器本体と、前記外周壁および前記内周壁の間を複数の境界壁で仕切って設けた区画室と、前記区画室の一つに水を導水する導水口と、前記内周壁内に挿入して設けたフィルター付き中央筒と、前記中央筒を挿入する挿入口を形成し、また、水の送出口を設けて、前記容器本体を覆う蓋部材と、前記蓋部材の内側に設けられ、前記区画室の上部が水の通路となるように、前記境界壁の所定箇所を跨ぐように凹部を形成した蓋側遮蔽盤と、前記容器本体の底部を被うように形成した底部材と、前記底部材の内側に設けられ、前記区画室の下部が水の通路となるように、前記境界壁の所定箇所を跨ぐように凹部を形成した底側遮蔽盤と、少なくとも前記区画室の何れか一つに充填される活水化セラミックスと、を備えたことを特徴とする。前記区画室は、前記活水化材料を充填した充填室と、前記充填室を通過した水が撹拌される撹拌室とからなり、前記充填室および前記撹拌室が交互に設けられていることを特徴とする。前記蓋側遮蔽盤に設けた凹部および前記底側遮蔽盤に設けた凹部は、交互に前記境界壁を跨ぐように形成したことを特徴とする。前記蓋部材の前記挿入口には、螺着させて前記中央筒の頂部の開口部を塞ぐキャップを備え、前記中央筒の側壁上部に複数箇所設けた窓部から、水を流出させることを特徴とする。活性炭、及び、塩素を取り除く化合物が、前記中央筒に充填されていることを特徴とする。少なくとも前記区画室の何れか一つには、水を浄化する殺菌セラミックスが充填されていることを特徴とする。
【０００５】
これにより、導水口から取り入れた水が、区画室（充填室および撹拌室）を連続的に流れた後に、中央筒を経由させて、送出口から取り出せるようにすることができる。また、活水化セラミックスを充填した充填室から水を撹拌室で落下させ、これを容器本体内で繰り返すようにすることで、活水化セラミックスに接触することにより部分的に活水化された水は、全体的に広がり、水の活水化が効率良くできるものになる。中央筒に、活性炭、及び、水道水から塩素を取り除く化合物を充填した場合には、健康飲料として、好適なものとすることができる。
活性化セラミックスとは別に、殺菌セラミックスを撹拌室に入れた場合は、塩素消毒が不十分な水の浄化に役立つ。
【０００６】
【発明の実施の形態】
図１は、本発明の活性浄水器を示した容器本体１の平面図であり、図２は図１のＡ−Ａ線断面図であり、活水化セラミックスを充填した状態を示したものである。図３は、容器本体１を被うように設けられる蓋部材３の平面図であり、図４は図３のＢ−Ｂ線断面図である。図５は、蓋部材３内の装着凹部３ｄ内に装着される蓋側遮蔽盤５を示したものであり、（ａ）は平面図であり、（ｂ）は（ａ）のＣ−Ｃ線断面図である。
【０００７】
容器本体１は、図１及び図２に示すように、略円筒形状の外周壁１ｂ、及び、外周壁１ｂと同心円で内側に内周壁１ｃを形成した二重構造であり、外周壁１ｂ、及び、内周壁１ｃとの間を複数の境界壁（８ａ乃至８ｆ）で仕切り、複数の区画室、即ち、セラミックス９（活水化セラミックス）を充填した充填室６ａ、６ｃ、６ｅ、及び、撹拌室６ｂ、６ｄ、６ｆを形成したものである。また、外周壁１ｂの外側には、後述する蓋部材や底部材を取り付ける取付孔１１を突起させて設け、内周壁１ｃには、後述する蓋側遮蔽盤、及び、底側遮蔽盤を取り付ける取付孔１２を設けて形成されている。導水口１ａは、容器本体１の下方で、外周壁１ｂの外側に突起させ、充填室６ａと連通させることにより、水をその充填室６ａに導水するように設けている。
【０００８】
蓋部材３は、図３、及び、図４に示すように、容器本体１の外周壁１ｂ（図１参照）に対応させて容器本体１を被うように形成され、取付孔１１で容器本体１に取り付けられる。また、容器本体１の内周壁１ｃに対応させて蓋部材３の中央には、後述する中央筒の上部を挿通する挿通孔３ｃが形成されており、上部には、挿通孔３ｃを塞ぐキャップが取り付けられるようにネジ部３ｅが設けられ、下部には、後述する蓋側遮蔽盤５（図５参照）を装着するために、装着凹部３ｄが内側に形成されている。さらに、蓋部材３には、区画室からの水漏れを防ぐように、補強用のリブ３ｂが適宜設けられて形成されている。
【０００９】
蓋側遮蔽盤５は、図５の（ａ）及び（ｂ）に示すように、一対の区画室（充填室及び撹拌室）を塞ぐと共に、所定の境界壁を跨いで水が通過できるように、図中破線で示す凹部１３ａ（境界壁８ａを跨ぐ）、１３ｂ（境界壁８ｃを跨ぐ）、１３ｃ（境界壁８ｅを跨ぐ）が形成されている。また、それぞれの凹部１３ａ、１３ｂ、１３ｃ内には、図中破線で示す溝１４が好適に形成されている。この蓋側遮蔽盤５は、蓋部材３内の装着凹部３ｄ内に装着され、容器本体１の取付孔１２に取付けられるように、対応させて取付孔１２が設けられている。
【００１０】
図６は、セラミックス９が充填された充填室６ａ、６ｃ、６ｅ（区画室）と撹拌室６ｂ、６ｄ、６ｆ（区画室）との間の境界壁８ａ、８ｃ、８ｅが、蓋側遮蔽盤５に凹部１３ａ、１３ｂ、１３ｃ（図中、斜線で示した領域）が設けられることにより、境界壁８ａ、８ｃ、８ｅの頂上が水の流路１６（図中、矢印で示す）となっていることを示したものである。即ち、導水口１ａから導水された水は、充填室６ａに満たされた後に、蓋側遮蔽盤５に凹部１３ａが設けられていることにより、境界壁８ａを越えて撹拌室６ｂに落下して撹拌されることになる。その後、水は、後述する底側遮蔽盤７（図９、１０参照）により、底側において境界壁８ｂを越え、充填室６ｃに移り、さらに、蓋側遮蔽盤２０に凹部１３ｂが設けられていることにより、境界壁８ｃを越え、撹拌室６ｄに落下して撹拌されることになる。このように、水が、容器本体内で、セラミックスによる活水化と、撹拌とを繰り返すように設けられているので、セラミックスにより部分的に活性化された水ではなく、全体的に充分に活性化された水となる。
【００１１】
図７は、容器本体１の底部を被う底部材４の平面図であり、図８は、図７のＤ−Ｄ線断面図である。図９は、底部材４内の装着凹部４ａ内に装着される底側遮蔽盤７を示したものであり、（ａ）は平面図であり、（ｂ）は（ａ）のＥ−Ｅ線断面図である。底部材４は、図７および図８に示すように、容器本体１の外周壁１ｂ（図１参照）に対応させて容器本体１の底部を被うように形成され、また、後述する底側遮蔽盤７（図９参照）を装着するために、装着凹部４ａが内側に形成されている。さらに、蓋部材３には、境界壁８に対応させた部位に、補強用のリブ４ｂを設けると共に、底側遮蔽盤を取付けるための取付孔１２を形成する。
【００１２】
蓋側遮蔽盤７は、図９の（ａ）及び（ｂ）に示すように、充填室６ａ被う凹部１５ａと、境界壁８ｂを跨いで水が通過できるようにした凹部１５ｂと、境界壁８ｄを跨いで水が通過できるようにした凹部１５ｃと、撹拌室６ｆを被う凹部１５ｄと、中央に形成した円形の凹部１５ｅと、を形成したものである。尚、凹部１５ｄは、凹部１５ｅと連通させ水が通過できるように形成する。
【００１３】
図１０は、セラミックスが充填された充填室６ｃ、６ｅ（区画室）と撹拌室６ｂ、６ｄ（区画室）との間の境界壁８ｂ、８ｄが、底側遮蔽盤７に凹部１５ｂ、１５ｃ（図中、斜線で示した領域）が設けられることにより、境界壁８ｂ、８ｄの底が水の流路１６（図中、矢印で示す）となり、さらに、撹拌室６ｆに貯留した水は、容器本体１の中央の凹部１５ｅに導水されることを示したものである。即ち、導水口１ａから導水された水は、充填室６ａに満たされた後に、蓋側において、境界壁８ａを越えて撹拌室６ｂに落下して撹拌されるが、底側において、境界壁８ｂを越え、充填室６ｃに移り、さらに、蓋側において、境界壁８ｃを越え、撹拌室６ｄに落下して撹拌されることになるが、底側において、境界壁８ｄを越え、充填室６ｅに移る。境界壁８ｅは、蓋側において越えるが、撹拌室６ｆに落下した水は、容器本体１の中央の凹部１５ｅに導水される。このような経路を経た後、水は後述する中央筒２（図１１参照）に導水されるものとなる。
【００１４】
図１１は、容器本体１の中央に挿入される中央筒２を示したものであり、（ａ）は平面図、（ｂ）は正面図である。この中央筒２は、底および天井を開口させた円筒形状で、上方に複数の窓部２ａを形成したものである。これにより、容器本体１内に挿入することで、凹部１５ｅから水をその内部に取り入れ、窓部２ａから送水できるものとなっている。尚、底および天井の開口部分には、フィルターを取付け、活性炭や、塩素を取り除く硫酸カルシウム等の粉末が保持できるものとする。
【００１５】
図１２は、容器本体１内に中央筒２を装着した活性浄水器１０を示したものであり、水の流路１６を矢印で示したものである。即ち、この活性浄水器１０は、容器本体１の上方に蓋部材３および蓋側遮蔽盤５を取付け、容器本体１内に中央筒２を挿入して装着した状態で、中央筒２の天井をキャップ１７で塞いで、水を中央筒２の窓部２ａを経由させて、送出口３ａから取り出すように構成されている。また、中央筒２の中には、塩素を取り除く硫酸カルシウムや、不純物が除去できるように活性炭の粉末１８が混合した状態で充填されている。
【００１６】
以上のように構成された活性浄水器１０は、水が、容器内で、セラミックスによる活水化と、撹拌とを繰り返すように設けられているので、セラミックスにより部分的に活性化された水ではなく、全体的に充分に活性化された水が取り出されるものとなる。また、中央筒２の中には、硫酸カルシウム、及び、活性炭が充填されており、活水化した水から、さらに、黴や錆などの不純物や有害な塩素が取り除かれるように構成されている。これにより、活性浄水器１０から取り出された水は、健康飲料水または美容水として、好適なものとなる。
【００１７】
活性浄水器１０の他の実施の形態（図省略）として、水を浄化する殺菌セラミックスを、撹拌室６ｂ、６ｄ、６ｆ（区画室）に充填し、塩素消毒が不十分な水を浄化するように構成することもできる。この場合、充填される殺菌セラミックスは、活水化した水の撹拌が阻害されない程度に数段積み重ねられる程度でよいが、水の状況に応じて適宜選択できるものである。これにより、活水化して浄化された水は、殺菌作用、界面活性作用などを有することから、浴槽の水、洗願用の水として利用され、日常生活に有益なものとなる。また、アトピーの改善等にも効果が期待できるので、台所の流し台もしくは水の元栓部分に設置して日常的に利用できる。また、充填する化合物や活性炭を、例えば、カートリッジにして着脱可能にすることで、適当な時期に交換することや、使用の用途に対応させることもできる。
【００１８】
尚、充填する活性化セラミックスは、一例として、ＳｉＯ２、Ａｌ２Ｏ３、Ｆｅ２Ｏ３、ＴｉＯ２、ＣａＯ、Ｋ２Ｏ、Ｎａ２Ｏ、ＭｇＯ、ＭｎＯ２などの無機材料を少なくとも含んだ状態で、燒結して球状に形成したものが利用でき、これにより、水を活水化する。水の活水化については、水のクラスターを小さくすることや、セラミックスの表面にマイナスイオンを帯電させ、水をマイナスイオン水とすることなど、セラミックスの種類を選択して好適なものとする。また、殺菌セラミックスは、同様の無機材料を用いて、焼結温度を変えて球状に形成したものであり、殺菌作用を備えることにより水を殺菌して浄化するので、水が日常生活において、有益に利用できる。さらに、農業用水として利用した場合は作物の生育を改善し、プールなどの公共施設で利用した場合はプールの水が長期間清潔に保たれるものとなる。
【００１９】
【発明の効果】
本発明は、上述したように構成されているので、次に記載する効果を奏する。
即ち、導水口から取り入れた水が、区画室（充填室および撹拌室）を連続的に流れた後に、中央筒を経由させて、送出口から取り出せるようにすることができるので、水道水の水圧を利用してコンパクトな活性浄水器とすることができる。
セラミックスなどの活水化材料を充填した充填室の下方から水を上方に貯留するので、セラミックスが相互に浮遊し衝突を繰り返すことにより放射される遠赤外線の活性化効果がある。
水を撹拌室で落下させて撹拌し、これを容器本体内で繰り返すようにしたことで、活水化材料に接触して活性化された水は、全体的に広がり、水の活性化が効率良くできるものになる。
殺菌セラミックスを撹拌室に入れた場合は、塩素消毒が不十分な水の浄化に役立つ。
【図面の簡単な説明】
【図１】本発明の容器本体を示した平面図である。
【図２】図１のＡ−Ａ線断面図であり、活性化材料を充填した状態を示した図である。
【図３】蓋部材の平面図である。
【図４】図３のＢ−Ｂ線断面図である。
【図５】蓋側遮蔽盤を示したものであり、（ａ）は平面図、（ｂ）は（ａ）のＣ−Ｃ線断面図である。
【図６】蓋側における水の流路を示したものである。
【図７】底部材の平面図である。
【図８】図７のＤ−Ｄ線断面図である。
【図９】底側遮蔽盤を示したものであり、（ａ）は平面図、（ｂ）は（ａ）のＥ−Ｅ線断面図である。
【図１０】底側における水の流路を示したものである。
【図１１】中央筒を示したものであり、（ａ）は平面図、（ｂ）は正面図である。
【図１２】本発明の活性浄水器を示した側面図である。
【符号の説明】
１  容器本体
１ａ  導水口
１ｂ  外周壁
１ｃ  内周壁
２  中央筒
２ａ  窓部
３  蓋部材
３ａ  送出口
３ｂ、４ｂ  リブ
３ｃ  挿通孔
３ｄ  装着凹部
３ｅ  ネジ部
４  底部材
４ａ  装着凹部
５  蓋側遮蔽盤
６ａ、６ｃ、６ｅ  充填室
６ｂ、６ｄ、６ｆ  撹拌室
７  底側遮蔽盤
８ａ、８ｂ、８ｃ、８ｄ、８ｅ、８ｆ  境界壁
９  セラミックス
１０  活性浄水器
１１、１２  取付孔
１３ａ、１３ｂ、１３ｃ  凹部
１４  溝
１５ａ、１５ｂ、１５ｃ、１５ｄ、１５ｅ  凹部
１６  水の流路
１７  キャップ
１８  粉末
１９  フィルター
【図１】
2004223406.tif 000003
【図２】
2004223406.tif 000004
【図３】
2004223406.tif 000005
【図４】
2004223406.tif 000006
【図５】
2004223406.tif 000007
【図６】
2004223406.tif 000008
【図７】
2004223406.tif 000009
【図８】
2004223406.tif 000010
【図９】
2004223406.tif 000011
【図１０】
2004223406.tif 000012
【図１１】
2004223406.tif 000013
【図１２】
2004223406.tif 000014